(57)【要約】【課題】チェンジレバーのシフト位置の本来の処理制御を容易に特化することができ、しかも電子制御装置のメンテナンス不良を低減する。【解決手段】チェンジレバーのシフト位置が変化したとき、記憶部４に記憶されているシフトパターンに基づいてシフト位置判定部３で次の第１のシフト位置が判定されることなく通過して更に次の第２のシフト位置が判定されたときは、通過シフト位置判定部５は第２のシフト位置のシフト位置検出信号を出力する。しかし、チェンジレバーのシフト位置の変化直前のシフト位置が記憶部４に記憶されている特定のシフト位置であるときは、通過シフト位置判定部５は第２のシフト位置のシフト位置検出信号に換えて第１のシフト位置のシフト位置検出信号を出力する。【選択図】図１
2012112450.tif 000002
【特許請求の範囲】
【請求項１】
チェンジレバーのシフト位置を検出するシフト位置検出部と、
前記シフト位置検出部で検出されたシフト位置でチェンジレバーのシフト位置を判定するシフト位置判定部と、
予めシフトパターンを記憶するとともに、予め特定された特定のシフト位置を記憶する記憶部と、
前記チェンジレバーのシフト位置が変化したとき、前記記憶部に記憶されている前記シフトパターンに基づいて前記シフト位置判定部で次の第１のシフト位置が判定されることなく通過して更に次の第２のシフト位置が判定されたときは前記第２のシフト位置のシフト位置検出信号を出力するとともに、前記第１のシフト位置が判定されたときは前記第１のシフト位置のシフト位置検出信号を出力する通過シフト位置判定部と、
前記通過シフト位置判定部から出力された前記シフト位置検出信号に基づいてシフト位置信号を出力するシフト位置出力部とを備え、
前記通過シフト位置判定部は、前記チェンジレバーのシフト位置の変化直前のシフト位置が前記記憶部に記憶されている前記特定のシフト位置であるときは、前記第２のシフト位置のシフト位置検出信号に換えて前記第１のシフト位置のシフト位置検出信号を出力することを特徴とするチェンジレバーのシフト位置検出装置。
【請求項２】
前記通過シフト位置判定部は、前記チェンジレバーのシフト位置が変化したとき、前記記憶部に記憶されている前記シフトパターンに基づいて前記シフト位置判定部で前記第１のシフト位置が判定されたときは前記第１のシフト位置のシフト位置検出信号を出力することを特徴とする請求項１に記載のチェンジレバーのシフト位置検出装置。
【請求項３】
前記通過シフト位置判定部は、前記チェンジレバーのシフト位置の変化直前のシフト位置が前記記憶部に記憶されている前記特定のシフト位置であるときに前記第１のシフト位置のシフト位置検出信号を出力した後に、前記第２のシフト位置のシフト位置検出信号を出力することを特徴とする請求項１または２に記載のチェンジレバーのシフト位置検出装置。
【請求項４】
請求項１ないし３のいずれか１に記載のチェンジレバーのシフト位置検出装置と、前記チェンジレバーのシフト位置検出装置から出力されるシフト位置信号に基づいて前記シフト位置の処理を行うシフト位置の処理制御信号を出力するシフト位置の処理制御信号出力部とを備えることを特徴とするシフト位置の処理制御装置。
【発明の詳細な説明】
【技術分野】
【０００１】
本発明は、変速機の変速制御を行うために操作されるチェンジレバーのシフト位置を検出するシフト位置検出装置、およびこのシフト位置検出装置で検出されたシフト位置の処理制御を実施するシフト位置の処理制御装置の技術分野に関するものである。
【背景技術】
【０００２】
従来、大型自動車等の大型車両には、変速機の変速操作を行うために、チェンジレバーが用いられている。その場合、チェンジレバーが所望のシフト位置に操作され、操作されたシフト位置に対応して変速機の変速制御が行われる。そこで、チェンジレバーのシフト位置を検出するために、このシフト位置を検出するセンサを有するチェンジレバーのシフト位置検出装置が用いられている（例えば、特許文献１参照）。
【０００３】
この特許文献１に記載のチェンジレバーのシフト位置検出装置では、チェンジレバーの現在のシフト位置をスイッチにより検出して、その位置検出信号を車両の電子制御装置（ＥＣＵ）に送出している。
【先行技術文献】
【特許文献】
【０００４】
【特許文献１】特開２００９−２２８８０７号公報。
【発明の概要】
【発明が解決しようとする課題】
【０００５】
ところで、従来、変速機の変速制御を行うためのシフトパターンは種々提案されている。例えば、従来のシフトパターンとして、図２（ａ）示すようなシフトパターンが提案されている。このシフトパターンでは、後進（Ｒ）、ニュートラル（Ｎ）、およびドライブ（Ｄ）の各シフト位置がこれらの順に配置された第１シフト列と、シフトアップ（ＵＰ）、保持（ＨＯＬＤ）、およびシフトダウン（ＤＯＷＮ）の各シフト位置がこれらの順に配置された第２シフト列と、第１シフト列のドライブ（Ｄ）のシフト位置と第２シフト列の保持（ＨＯＬＤ）のシフト位置とを接続するセレクト位置とを有するシフトパターンである。
【０００６】
ところで、このシフトパターンにおいては、例えばドライバーがチェンジレバーをＮ→Ｄ→ＨＯＬＤにシフト操作した場合、チェンジレバーのシフト位置検出装置は、ＥＣＵに対して各シフト位置信号を出力する。その場合、ＥＣＵでは、ノイズなどによる誤動作を防止するため、きわめて速い信号の変化を除くようになっている。このため、チェンジレバーのシフト操作そのものがきわめて速い場合、チェンジレバーはＤ位置を通過したにもかかわらず、シフト位置検出装置のＤ位置検出信号がＥＣＵに認識されなく、ＨＯＬＤ位置を認識してしまう場合が考えられる。すると、ＥＣＵはＤ位置の処理（例えば、適切な前進ギヤ段の選択と変速指示など）を行えず、Ｎ位置の処理からＨＯＬＤ位置の処理（例えば、現状のシフト位置の保持つまり現状のギヤの保持など）へ移行してしまい、ギヤ位置の選択をしないままになる。
【０００７】
このため、ＥＣＵのＨＯＬＤ位置の処理のロジックに、レバー位置がスキップしたと判定する処理のロジックと、Ｄ位置と同じギヤ段の選択処理のロジックといった複数のロジックを盛り込む必要があり、チェンジレバーのシフト位置の本来の処理制御を特化することが難しくなってしまう。しかも、ＥＣＵのメンテナンス不良が増加する可能性が考えら
れる。
【０００８】
本発明はこのような事情に鑑みてなされたものであって、その目的は、チェンジレバーのシフト位置の本来の処理制御を容易に特化することができ、しかも電子制御装置のメンテナンス不良を低減することができるチェンジレバーのシフト位置検出装置、およびこれを用いたシフト位置の処理制御装置を提供することである。
【課題を解決するための手段】
【０００９】
前述の課題を解決するために、本発明に係るチェンジレバーのシフト位置検出装置は、チェンジレバーのシフト位置を検出するシフト位置検出部と、前記シフト位置検出部で検出されたシフト位置でチェンジレバーのシフト位置を判定するシフト位置判定部と、予めシフトパターンを記憶するとともに、予め特定された特定のシフト位置を記憶する記憶部と、前記チェンジレバーのシフト位置が変化したとき、前記記憶部に記憶されている前記シフトパターンに基づいて前記シフト位置判定部で次の第１のシフト位置が判定されることなく通過して更に次の第２のシフト位置が判定されたときは前記第２のシフト位置のシフト位置検出信号を出力するとともに、前記第１のシフト位置が判定されたときは前記第１のシフト位置のシフト位置検出信号を出力する通過シフト位置判定部と、前記通過シフト位置判定部から出力された前記シフト位置検出信号に基づいてシフト位置信号を出力するシフト位置出力部とを備え、前記通過シフト位置判定部が、前記チェンジレバーのシフト位置の変化直前のシフト位置が前記記憶部に記憶されている前記特定のシフト位置であるときは、前記第１のシフト位置のシフト位置検出信号に換えて前記第１のシフト位置のシフト位置検出信号を出力することを特徴としている。
【００１０】
また、本発明に係るチェンジレバーのシフト位置検出装置は、前記通過シフト位置判定部が、前記チェンジレバーのシフト位置が変化したとき、前記記憶部に記憶されている前記シフトパターンに基づいて前記シフト位置判定部で前記第１のシフト位置が判定されたときは前記第１のシフト位置のシフト位置検出信号を出力することを特徴としている。
【００１１】
更に、本発明に係るチェンジレバーのシフト位置検出装置は、前記通過シフト位置判定部が、前記チェンジレバーのシフト位置の変化直前のシフト位置が前記記憶部に記憶されている前記特定のシフト位置であるときに前記第１のシフト位置のシフト位置検出信号を出力した後に、前記第２のシフト位置のシフト位置検出信号を出力することを特徴としている。
【００１２】
一方、本発明に係るシフト位置の処理制御装置は、前述の本発明のチェンジレバーのシフト位置検出装置のうちのいずれかのチェンジレバーのシフト位置検出装置と、前記チェンジレバーのシフト位置検出装置から出力されるシフト位置信号に基づいて前記シフト位置の処理を行うシフト位置の処理制御信号を出力するシフト位置の処理制御信号出力部とを備えることを特徴としている。
【発明の効果】
【００１３】
このように構成された本発明のチェンジレバーのシフト位置検出装置およびシフト位置の処理制御装置によれば、チェンジレバーのシフト位置が変化した際、チェンジレバーがシフトパターン上に本来存在するはずのシフト位置を検出されることなく通過したと判断されたときで、シフト位置の変化直前のシフト位置が予め特定した特定のシフト位置であるときには、チェンジレバーが通過した第１のシフト位置をシフト位置として出力し、判定されたシフト位置の変化直後の第２のシフト位置を出力しないようにしている。これにより、通過した第１のシフト位置の処理制御が実施され、判定された第２のシフト位置の変化直後のシフト位置の処理制御は実施しないようにしている。したがって、チェンジレバーの本来の第１のシフト位置の制御に特化することが可能となる。これにより、チェン
ジレバーの位置飛びが生じても、多くのロジックを必要としないで、本来の第１のシフト位置の処理を実施することができる。しかも、多くのロジックが不要となることから、ＥＣＵへの負担が軽減することができるので、ＥＣＵの制御ボリュームを低減することができる。その結果、ＥＣＵの応答性が向上できるとともに、メンテナンス不良の発生を低減することができる。
【図面の簡単な説明】
【００１４】
【図１】本発明に係るチェンジレバーのシフト位置検出装置の実施の形態の一例を模式的に示すブロック図である。
【図２】（ａ）は図１に示す例のチェンジレバーのシフト位置検出装置が用いられる変速機のシフトパターンおよびチェンジレバーのシフト位置を検出するシフト位置センサを示す図、（ｂ）はチェンジレバーのシフト位置とシフト位置センサの出力との関係を示す図である。
【図３】チェンジレバーのシフト位置検出方法を実施するためのフローを示す図である。
【発明を実施するための形態】
【００１５】
以下、図面を用いて、本発明を実施するための形態について説明する。
図１は、本発明に係るチェンジレバーのシフト位置検出装置の実施の形態の一例を模式的に示すブロック図であり、図２（ａ）は図１に示す例のチェンジレバーのシフト位置検出装置が用いられる変速機のシフトパターンおよびチェンジレバーのシフト位置を検出するシフト位置センサを示す図、図２（ｂ）はチェンジレバーのシフト位置とシフト位置センサの出力との関係を示す図である。
【００１６】
図１に示すように、この例のチェンジレバーのシフト位置検出装置１は、チェンジレバー（不図示）のシフト位置を検出するシフト位置検出部２、シフト位置判定部３、記憶部４、通過シフト位置判定部５、およびシフト位置出力部６を有している。その場合、シフト位置判定部３、記憶部４、通過シフト位置判定部５、およびシフト位置出力部６は、車両の電子制御装置（ＥＣＵ）７に配設される。
【００１７】
図２（ａ）に示すように、この例の変速機のシフトパターンは、前述の従来のシフトパターンと同様に、２つの第１および第２シフト列と、１つのセレクト列とを有している。第１シフト列には、後進（Ｒ）、ニュートラル（Ｎ）、およびドライブ（Ｄ）の各シフト位置がこれらの順に配置されている。また、第２シフト列には、シフトアップ（ＵＰ）、保持（ＨＯＬＤ）、およびシフトダウン（ＤＯＷＮ）の各シフト位置がこれらの順に配置されている。その場合、第１シフト列のニュートラル（Ｎ）と第２シフト列のシフトアップ（ＵＰ）の各シフト位置がシフト方向のチェンジレバーの操作角が同じまたはほぼ同じとなるように設定されている。同様に、第１シフト列のドライブ（Ｄ）と第２シフト列の保持（ＨＯＬＤ）の各シフト位置がシフト方向のチェンジレバーの操作角が同じまたはほぼ同じとなるように設定されている。
【００１８】
更に、セレクト列には、ドライブ（Ｄ）および保持（ＨＯＬＤ）の各シフト位置が配置されている。その場合、第１シフト列のドライブ（Ｄ）とセレクト列のドライブ（Ｄ）とが同じであるとともに、第２シフト列の保持（ＨＯＬＤ）とセレクト列の保持（ＨＯＬＤ）とが同じである。
【００１９】
シフト位置検出部２は、後進（Ｒ）のシフト方向のシフト位置を検出するシフト位置センサＳｉＡ、ニュートラル（Ｎ）およびシフトアップ（ＵＰ）のシフト方向の各シフト位置を検出するシフト位置センサＳｉＢ、ドライブ（Ｄ）および保持（ＨＯＬＤ）のシフト方向の各シフト位置を検出するシフト位置センサＳｉＣ、シフトダウン（ＤＯＷＮ）のシ
フト方向のシフト位置を検出するシフト位置センサＳｉＤ、第１シフト列のセレクト方向の各シフト位置を検出するシフト位置センサＳｅＡ、および第２シフト列のセレクト方向の各シフト位置を検出するシフト位置センサＳｅＢを有している。これらのシフト位置センサには、例えばホール素子等の従来公知の位置センサが用いられる。
【００２０】
そして、図２（ｂ）に示すように各シフト位置センサは、チェンジレバーがシフトされたシフト位置に対応するシフト位置センサがオン（例えば、図２（ｂ）に○で示す）することで、チェンジレバーのシフト位置が検出される。その場合、この例のチェンジレバーのシフト位置検出装置１では、チェンジレバーのシフト位置検出は、所定の検出サイクル（例えば、１０msec〜２０msec）で実施される。
【００２１】
シフト位置判定部３は、各シフト位置センサＳｉＡ,ＳｉＢ,ＳｉＣ,ＳｉＤ,ＳｅＡ,Ｓ
ｅＢからのシフト位置検出信号に基づいてチェンジレバーのシフト位置を判定する。また、記憶部４はシフトパターンを予め記憶しているとともに、前述の特定のシフト位置を記憶している。
【００２２】
更に、通過シフト位置判定部５は、シフト位置判定部３で判定されたシフト位置に基づいてチェンジレバーのシフト位置が変化したと判断したとき、チェンジレバーがシフト位置判定部３で判定されたシフト位置変化直前のシフト位置からシフト位置判定部３で判定されたシフト位置変化直後のシフト位置にシフトされる際、本来、シフトパターン上に存在しかつシフト位置判定部３で判定されなかったシフト位置を通過したか否かを、記憶部４からのシフトパターンに基づいて判断する。その場合、通過シフト位置判定部５は、シフトパターン上に存在しかつシフト位置判定部３で判定されなかったシフト位置を通過したと判断するとともに、判定されたシフト位置変化直前のシフト位置が記憶部４に記憶されている特定のシフト位置であると判断したときは、通過したと判断した第１のシフト位置のシフト位置検出信号を出力する。また、通過シフト位置判定部５は、シフトパターン上に存在しかつシフト位置判定部３で判定されなかったシフト位置を通過したと判断したが、判定されたシフト位置変化直前のシフト位置が記憶部４に記憶されている特定のシフト位置でないと判断したとき、および、シフトパターン上に存在しかつシフト位置判定部３で判定されなかったシフト位置を通過していないと判断したときは、シフト位置判定部３で判定されたシフト位置変化直後の第２のシフト位置のシフト位置判定信号を出力する。
【００２３】
更に、シフト位置出力部６は、通過シフト位置判定部５からのシフト位置判定信号に基づいてシフト位置信号を出力する。
なお、ＥＣＵ７は、シフト位置の処理制御信号出力部８を有している。このシフト位置の処理制御信号出力部８は、チェンジレバーが位置するシフト位置の処理を行うためのシフト位置の処理制御信号を図示しない変速機制御装置に出力する。変速機制御装置は処理制御信号出力部８からのシフト位置の処理制御信号に基づいて、そのシフト位置の変速処理制御を行う。したがって、処理制御信号出力部８および変速機制御装置により、本発明のチェンジレバーのシフト位置検出装置を用いたシフト位置の処理制御装置が構成される。
【００２４】
ところで、この例のチェンジレバーのシフト位置検出装置１によるチェンジレバーのシフト位置検出方法について説明する。すなわち、チェンジレバーのシフト位置検出装置１は、チェンジレバーのシフト位置が変化したとき、検出されたシフト位置変化直前のシフト位置から検出されたシフト位置変化直後のシフト位置にチェンジレバーがシフトされる際、このチェンジレバーが、本来、シフトパターン上に存在するはずのシフト位置を検出されることなく通過したか否か、つまりチェンジレバーの位置飛びが生じたか否かを判断する。そして、シフト位置検出装置１は、チェンジレバーが、シフトパターン上に存在す
るはずのシフト位置を検出されることなく通過したと判断したときは、シフト位置の処理制御装置により、通過したと判断された第１のシフト位置に対応する処理制御が行われる。その場合、検出されたシフト位置変化直前のシフト位置が予め特定された特定のシフト位置であるときのみ、この処理制御が行われるとともに、１回の位置検出サイクルだけこの処理制御が実施される。また、チェンジレバーが、シフトパターン上に存在するはずの第１のシフト位置を検出されることなく通過したと判断されたが、検出されたシフト位置変化直前のシフト位置が予め特定されたシフト位置でないとき、および、チェンジレバーがシフトパターン上に存在するはずの第１のシフト位置を通過していないと判断されたときは、同様にして、検出されたシフト位置変化直後の第２のシフト位置に対応する変速処理が行われる。
【００２５】
図３は、チェンジレバーのシフト位置検出方法を実施するためのフローを示す図である。
図３に示すように、まずステップＳ１でチェンジレバーのシフト位置がシフト位置検出部２で検出されるとともに、シフト位置検出部２からのシフト位置検出信号に基づいて、シフト位置判定部３によりチェンジレバーのシフト位置が判定される。次にステップＳ２でシフト位置判定部３によりチェンジレバーのシフト位置が変化したか否かが判断される。チェンジレバーのシフト位置が変化したと判断されると、ステップＳ３で通過シフト位置判定部５により、チェンジレバーが、本来シフトパターン上に存在するシフト位置を判定（検出）されることなく通過した第１のシフト位置があるか否かが判断される。この第１のシフト位置がないと判断されると、ステップＳ４で、判定されたシフト位置信号がシフト位置出力部６からシフト位置の処理制御信号出力部８に出力される。そして、処理制御信号出力部８からシフト位置の処理制御信号が変速機制御装置に出力され、変速機制御装置によりそのシフト位置（つまり、第２のシフト位置）の処理制御が変速機に対して実施される。ステップＳ２でチェンジレバーのシフト位置が変化していないと判断されると、ステップＳ４に移行し、ステップＳ４の処理が行われる。
【００２６】
ステップＳ３でチェンジレバーが前述の通過した第１のシフト位置があると判断されると、ステップＳ５で、シフト位置変化直前のシフト位置が予め特定された特定のシフト位置であるか否かが判断される。シフト位置変化直前のシフト位置が特定のシフト位置であると判断されると、ステップＳ６で、シフト位置出力部６から通過したシフト位置信号が出力され、前述と同様にして、通過した第１のシフト位置の処理制御が実施される。次いで、ステップＳ１に移行し、ステップＳ１以降の処理が行われる。このとき、ステップＳ１でシフト位置変化直後の第２のシフト位置が検出されるとともに、ステップＳ２でシフト位置が変化しないと判断され、更にステップＳ３で通過したシフト位置がないと判断されるので、結局ステップＳ４の処理が行われる。したがって、通過した第１のシフト位置の処理制御が実施された後、次のシフト位置検出サイクルで、先に判定された第２のシフト位置の信号が出力される。これにより、シフト位置変化直後に判定された第２のシフト位置の処理制御が行われることになる。
【００２７】
例えば、チェンジレバーがシフト位置変化直前のシフト位置であるニュートラル（Ｎ）から、ドライブ（Ｄ）の位置（つまり、第１のシフト位置）がシフト位置判定部３で判定されることなく、シフト位置変化直後のシフト位置である保持（ＨＯＬＤ）の位置（つまり、第２のシフト位置）がシフト位置判定部３で判定されたとする。そして、通過シフト位置判定部５はニュートラル（Ｎ）が予め特定された特定のシフト位置であると判断すると、ドライブ（Ｄ）のシフト位置判定信号をシフト位置出力部６に出力する。すると、シフト位置出力部６はドライブ（Ｄ）のシフト位置信号をシフト位置の処理制御信号出力部８に出力し、シフト位置の処理制御信号出力部８はドライブ（Ｄ）のシフト位置の処理制御信号を変速機制御装置に出力する。これにより、このドライブ（Ｄ）の特有の処理（例えば、自動変速機の操作に関わるアクチュエータの制御など）が行われる。その後、次の
シフト位置検出サイクルでシフト位置変化直後に判定されたシフト位置である保持（ＨＯＬＤ）の特有の処理（例えば、現状のシフト位置の保持つまり現状のギヤの保持など）が同様にして行われる。
【００２８】
ステップＳ５で、シフト位置変化直前のシフト位置が予め特定された特定のシフト位置でないと判断されると、ステップＳ４に移行し、このステップＳ４の処理が実施された後、チェンジレバーのシフト位置の変化が検出されたときの位置検出サイクルが終了する。
【００２９】
この例のチェンジレバーのシフト位置検出装置およびシフト位置の処理制御装置によれば、チェンジレバーのシフト位置が変化した際、チェンジレバーがシフトパターン上に本来存在するはずのシフト位置を検出されることなく通過したと判断されたときで、シフト位置の変化直前のシフト位置が予め特定した特定のシフト位置であるときには、チェンジレバーが通過したシフト位置をシフト位置として出力し、判定されたシフト位置の変化直後のシフト位置を出力しないようにしている。これにより、通過したシフト位置の処理制御が実施され、判定されたシフト位置の変化直後のシフト位置の処理制御は実施しないようにしている。したがって、チェンジレバーの本来のシフト位置の制御に特化することが可能となる。これにより、チェンジレバーの位置飛びが生じても、多くのロジックを必要としないで、本来のシフト位置の処理を実施することができる。しかも、多くのロジックが不要となることから、ＥＣＵ７への負担が軽減することができるので、ＥＣＵ７の制御ボリュームを低減することができる。その結果、ＥＣＵ７の応答性が向上できるとともに、メンテナンス不良の発生を低減することができる。
【００３０】
なお、本発明は前述の実施の形態の例に限定されることはなく、種々設計変更が可能である。例えば、シフトパターンは前述の例に限定されることはなく、他の種々のシフトパターンが可能である。要は、本発明は前述の例に限定されることはなく、特許請求の範囲に記載されている技術的事項の範囲で種々の設計変更が可能である。
【産業上の利用可能性】
【００３１】
本発明に係る変速機のシフト位置判断確定装置は、チェンジレバーで変速機のシフト位置を変更した際、制御手段により、変更されたシフト位置の検出信号に基づいてそのシフト位置の変速段に設定される変速機に好適に利用可能である。
【符号の説明】
【００３２】
１…チェンジレバーのシフト位置検出装置、２…シフト位置検出部、３…シフト位置判定部、４…記憶部、５…通過シフト位置判定部、６…シフト位置出力部、７…電子制御装置（ＥＣＵ）、８…シフト位置の処理制御信号出力部
【図１】
2012112450.tif 000003
【図２】
2012112450.tif 000004
【図３】
2012112450.tif 000005